(57)【要約】【課題】ＤＣＦ規格対応のデジタルカメラと画像データ処理装置との間で行う通信の高速化を実現できるようにするとともに、画像データを格納するために必要な記憶領域の縮小化を実現できるようにする。【解決手段】デジタルカメラに格納されている主画像ファイル内に格納されているサムネイル画像のみを画像データ処理装置に転送し、前記画像データ処理装置においては前記転送された１つ以上のサムネイル画像を、前記デジタルカメラに格納されている主画像と１対１に対応可能に管理し、前記サムネイル画像により確認した後で、所望の主画像データを転送するようにすることにより、デジタルカメラと画像データ処理装置との間で行う通信を高速化できるようにするとともに、画像データを格納する領域の縮小化を実現できるようにする。【選択図】　　　　図１
2004048183.tif 000002
【特許請求の範囲】
【請求項１】
通信回線を介して画像データ処理装置と接続して画像データ処理システムを構成可能なデジタルカメラであって、
サムネイル画像を含む主画像ファイルを格納するための画像ファイル記憶手段と、
前記画像ファイル記憶手段に格納されている主画像ファイル中のサムネイル画像を前記通信回線を介して転送するサムネイル画像転送手段と、
前記通信回線を介して接続された画像データ処理装置からの転送要求に応じて主画像を転送する主画像転送手段とを有することを特徴とするデジタルカメラ。
【請求項２】
前記主画像転送手段は、転送する主画像の画素数を指定する転送要求が前記画像データ処理装置からあった場合には、前記画像ファイル記憶手段に格納されている主画像ファイルを指定された画素数に変換し、そのファイル内にサムネイル画像を含む画素数変換主画像ファイルを送信することを特徴とする請求項１に記載のデジタルカメラ。
【請求項３】
通信回線を介してデジタルカメラと接続して画像データ処理システムを構成可能な画像データ処理装置であって、
前記通信回線を介して接続されたデジタルカメラから転送された１つ以上のサムネイル画像を、前記デジタルカメラに格納されている主画像に対して１対１に対応可能に管理するサムネイル画像管理手段と、
前記サムネイル画像管理手段により管理されているサムネイル画像に対応する主画像の転送を前記デジタルカメラに要求する主画像転送要求手段とを有することを特徴とする画像データ処理装置。
【請求項４】
前記サムネイル画像管理に格納されているサムネイル画像を表示装置に表示する表示手段と、
前記表示装置に表示された１つ以上のサムネイル画像から所望の画像を選択する選択手段とを有し、
前記主画像転送要求手段は、前記選択手段によって選択されたサムネイル画像を有する主画像の転送を前記デジタルカメラに要求することを特徴とする請求項３に記載の画像データ処理装置。
【請求項５】
前記デジタルカメラから転送された画像を印刷する印刷手段を有し、
前記印刷手段を用いて前記デジタルカメラから転送された主画像を印刷することを特徴とする前記請求項３または４に記載の画像データ処理装置。
【請求項６】
前記主画像転送要求手段は、前記印刷手段に合致する画素数を指定して主画像の転送を前記デジタルカメラに要求することを特徴とする請求項５に記載の画像データ処理装置。
【請求項７】
前記デジタルカメラから受信した画像ファイルをインターネットサーバーに格納する画像ファイル格納手段を有することを特徴とする請求項３〜６の何れか１項に記載の画像データ処理装置。
【請求項８】
前記画像ファイル格納手段は、前記デジタルカメラから受信したサムネイル画像を格納する場合に、前記デジタルカメラの画像ファイル記憶手段に格納されている主画像と同じディレクトリ構造と同じファイル名で画像記憶媒体に格納し、前記画像記憶媒体に格納したファイルがサムネイル画像であることを示すためにファイルの拡張子を変更することを特徴とする請求項３〜７の何れか１項に記載の画像データ処理装置。
【請求項９】
前記画像ファイル格納手段は、前記デジタルカメラから受信したサムネイル画像を格納する場合に、前記デジタルカメラの画像ファイル記憶手段に格納されている主画像の規格であるＤＣＦ（Ｄｅｓｉｇｎ　ｒｕｌｅ　ｆｏｒ　Ｃａｍｅｒａ　Ｆｉｌｅ　ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴とする請求項３〜７の何れか１項に記載の画像データ処理装置。
【請求項１０】
前記画像ファイル格納手段は、前記デジタルカメラから主画像を受信した場合に、前記主画像に該当するサムネイル画像を削除し、前記ファイル内にサムネイル画像を有する主画像を格納することを特徴とする請求項３〜７の何れか１項に記載の画像データ処理装置。
【請求項１１】
前記画像ファイル格納手段は、前記デジタルカメラから主画像を受信した場合に、前記印刷処理を含む特定の処理にのみ前記主画像を使用し、既に受信している該当するサムネイル画像を削除せずに保持することを特徴とする請求項３〜１０の何れか１項に記載の画像データ処理装置。
【請求項１２】
前記画像ファイル格納手段は、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴とする請求項３〜１０の何れか１項に記載の画像データ処理装置。
【請求項１３】
前記通信回線を介して行う通信手段として、シリアル通信またはＵＳＢ通信を含む有線通信を用いることを特徴とする請求項３〜１２の何れか１項に記載の画像データ処理装置。
【請求項１４】
前記通信回線を介して行う通信手段として、ブルートゥース（Ｂｌｕｅｔｏｏｔｈ）通信またはモデム通信を含む無線通信を用いることを特徴とする請求項３〜１２の何れか１項に記載の画像データ処理装置。
【請求項１５】
前記デジタルカメラから受信して画像記憶媒体に格納した画像ファイル内にサムネイル画像を有する主画像に有効期限を設ける期限設定手段を有し、
前記期限設定手段によって設定された有効期限が切れた場合に、前記主画像内のサムネイル画像を該当画像ファイルとして残し、前記有効期限が切れた主画像自体は削除するようにしたことを特徴とする請求項３〜１２の何れか１項に記載の画像データ処理装置。
【請求項１６】
請求項１または２に記載のデジタルカメラと、請求項３〜１５の何れか１項に記載の画像データ処理装置とを有することを特徴とする画像データ処理システム。
【請求項１７】
通信回線を介してデジタルカメラと接続して画像データ処理システムを構成する画像データ処理装置を用いた画像データ処理方法であって、
前記通信回線を介して接続されたデジタルカメラから転送された１つ以上のサムネイル画像を、前記デジタルカメラに格納されている主画像に対して１対１に対応可能に管理するサムネイル画像管理工程と、
前記サムネイル画像管理工程により管理されているサムネイル画像に対応する主画像の転送を前記デジタルカメラに要求する主画像転送要求工程とを有することを特徴とする画像データ処理方法。
【請求項１８】
前記サムネイル画像管理に格納されているサムネイル画像を表示装置に表示する表示工程と、
前記表示装置に表示された１つ以上のサムネイル画像から所望の画像を選択する選択工程とを有し、
前記主画像転送要求工程においては、前記選択工程によって選択されたサムネイル画像を有する主画像の転送を前記デジタルカメラに要求することを特徴とする請求項１７に記載の画像データ処理方法。
【請求項１９】
前記デジタルカメラから転送された画像を印刷装置により印刷する印刷工程を有し、
前記デジタルカメラから転送された主画像を印刷することを特徴とする前記請求項１７または１８に記載の画像データ処理方法。
【請求項２０】
前記主画像転送要求工程においては、前記印刷装置に合致する画素数を指定して主画像の転送を前記デジタルカメラに要求することを特徴とする請求項１９に記載の画像データ処理方法。
【請求項２１】
前記デジタルカメラから受信した画像ファイルをインターネットサーバーに格納する画像ファイル格納工程を有することを特徴とする請求項１７〜２０の何れか１項に記載の画像データ処理方法。
【請求項２２】
前記画像ファイル格納工程においては、前記デジタルカメラから受信したサムネイル画像を格納する場合に、前記デジタルカメラの画像ファイル記憶媒体に格納されている主画像と同じディレクトリ構造と同じファイル名で前記画像記憶媒体に格納し、前記画像記憶媒体に格納したファイルがサムネイル画像であることを示すためにファイルの拡張子を変更することを特徴とする請求項１７〜２１の何れか１項に記載の画像データ処理方法。
【請求項２３】
前記画像ファイル格納工程においては、前記デジタルカメラから受信したサムネイル画像を格納する場合に、前記デジタルカメラの画像ファイル記憶媒体に格納されている主画像の規格であるＤＣＦ（Ｄｅｓｉｇｎ　ｒｕｌｅ　ｆｏｒ　Ｃａｍｅｒａ　Ｆｉｌｅ　ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴とする請求項１７〜２１の何れか１項に記載の画像データ処理方法。
【請求項２４】
前記画像ファイル格納工程においては、前記デジタルカメラから主画像を受信した場合に、前記主画像に該当するサムネイル画像を削除し、前記ファイル内にサムネイル画像を有する主画像を格納することを特徴とする請求項１７〜２１の何れか１項に記載の画像データ処理方法。
【請求項２５】
前記画像ファイル格納工程においては、前記デジタルカメラから主画像を受信した場合に、前記印刷処理を含む特定の処理にのみ前記主画像を使用し、既に受信している該当するサムネイル画像を削除せずに保持することを特徴とする請求項１７〜２４の何れか１項に記載の画像データ処理方法。
【請求項２６】
前記画像ファイル格納工程においては、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴とする請求項１７〜２４の何れか１項に記載の画像データ処理方法。
【請求項２７】
前記デジタルカメラから受信して画像記憶媒体に格納した画像ファイル内にサムネイル画像を有する主画像に有効期限を設ける期限設定工程を有し、
前記期限設定工程によって設定された有効期限が切れた場合に、前記主画像内のサムネイル画像を該当画像ファイルとして残し、前記有効期限が切れた主画像自体は削除するようにしたことを特徴とする請求項１７〜２６の何れか１項に記載の画像データ処理方法。
【請求項２８】
前記請求項１〜１５の何れか１項に記載の各手段としてコンピュータを機能させるためのプログラムを記録したことを特徴とするコンピュータ読み取り可能な記憶媒体。
【請求項２９】
前記請求項１７〜２７の何れか１項に記載の画像データ処理方法をコンピュータに実行させるためのプログラムを記録したことを特徴とするコンピュータ読み取り可能な記憶媒体。
【請求項３０】
前記請求項１７〜２７の何れか１項に記載の画像データ処理方法をコンピュータに実行させることを特徴とするコンピュータプログラム。
【発明の詳細な説明】
【０００１】
【発明の属する技術分野】
本発明はデジタルカメラ、画像データ処理装置、画像データ処理システム、画像データ処理方法、コンピュータ読み取り可能な記憶媒体及びコンピュータプログラムに関し、特に、ＤＣＦ規格に従って撮影した画像を格納するデジタルカメラと、そのデジタルカメラと通信手段によって接続された印刷機能付の携帯電話やＰＤＡ等の携帯端末とが接続された時に、デジタルカメラに格納されている画像を簡単な指定操作で前記デジタルカメラから携帯端末に転送して所望の画像を印刷処理するために用いて好適な技術に関する。
【０００２】
【従来の技術】
デジタルカメラに格納されるサムネイル画像と画像データ転送について、ＤＣＦ規格に従って画像ファイルを格納するデジタルカメラにおいて、画像ファイルがＪＰＥＧファイルである場合はサムネイル画像がＪＰＥＧ画像ファイル内の決められた位置に１６０ｘ１２０ピクセルの画素数で６４Ｋバイトを超えない大きさで格納されている。
【０００３】
一方、主画像のファイルサイズは、２００万画素のデジタルカメラでは約１Ｍバイトから４００万画素のデジタルカメラでは約３Ｍバイトとなる。したがって、デジタルカメラから通信手段によって画像を転送する場合に、主画像の代わりにサムネイル画像を用いれば転送時間が１０分の１から１００分の１程度の短時間で済む。また、画像を受信する処理装置においても画像データの格納領域が少なくて済むようになる利点が得られる。
【０００４】
また、ＤＣＦ規格に従ったデジタルカメラのコンパクトフラッシュ（Ｒ）カード（登録商標）等の記憶媒体に記憶される画像データは決められたディレクトリ構造及びファイル名で格納されている。
【０００５】
例えば、「￥ＤＣＩＭ￥１００ＣＡＭＥＲ￥ＩＭＡＧ０００１．ＪＰＧ」という形式で、「１００」がディレクトリ番号で、「０００１」が写真番号と呼ばれる。デジタルカメラでは、画像データを表示する時にその索引として、ディレクトリ番号と写真番号との組み合わせ「１００−０００１」を表示する。
【０００６】
（従来の発明の説明）
従来の発明として、例えば、特開平１０−１０７９８１号においては、デジタルカメラから撮影画像データをサムネイル画像でプリンタに転送し、全コマを一覧印刷する。
【０００７】
また、特開平１０−１０８００６号においては、デジタルカメラから撮影画像データを印刷に適した解像度でプリンタに転送して印刷を行う。また、低解像度であるサムネイル画像の解像度へ解像度変換をして画像データを送信することをプリンタからデジタルカメラに要求し、受信した画像データを一覧印刷に用いる場合もある。
【０００８】
特開平１１−４６３３１号においては、画像データとサムネイル画像データとを記録し、サムネイル画像データを表示し、選択されたサムネイル画像データに対応する画像データを外部装置に出力するデジタルカメラがある。
【０００９】
また、サムネイル画像データを外部プリンタに出力して印刷し、印刷されたサムネイル画像を基に選択された対応する画像データを外部装置に出力する場合もある。さらに、サムネイル画像データを印刷する際に索引を付加し、索引で指定された画像データを外部装置に出力する場合もある。
【００１０】
特開平１１−９６１９４号では、画像ファイルの情報表示にサムネイル画像を用い、サムネイル画像が記憶されていない場合には新たにサムネイル画像を作成して表示する。そして、サムネイル画像にキーワードを設定し、選択されたキーワードに該当するサムネイル画像を一覧表示するようにしている。
【００１１】
特開平１１−１４６２２４号においては、分割された複数の各領域に指定された撮影画像のサムネイル画像を送信するようにしている。
特開平１１−１９１１１４号においては、画像検索において検索された画像をダウンロードしそのサムネイル画像を表示するようにしている。
【００１２】
特開平１１−２０３３６０号においては、センタサーバにサムネイル画像データを格納し、センタサーバに接続するラボサーバに高解像度画像データを格納し、期限切れによってセンタサーバに格納されているサムネイル画像データとラボサーバに格納されている高解像度画像データがともに消去されるようにしている。
【００１３】
特開平１１−２３２１８６号においては、静止画像を送信する場合に予め決められたデータ変換方式でデータ量を縮小して送信するデータ蓄積装置が提案されている。
【００１４】
特開平１１−３３１５３１号においては、画像データを送信する場合に、ファイル名、サムネイル画像、及び送信画像データの優先順位情報の少なくとも１つを付加して送信するようにしている。
【００１５】
特開平１１−３５５７０６号では、デジタルカメラに接続したコンピュータがまずサムネイル画像を受信し、次に高解像度の画像データを受信する。さらに、サムネイル画像を用いて一覧表示し、サムネイル画像を用いて一覧印刷を行うようにしている。
【００１６】
特開２０００−２８７１１０では、ＪＰＥＧファイルから自動的にサムネイルのＨＴＭＬドキュメントを作成するようにしている。
【００１７】
【発明が解決しようとする課題】
ＣＣＤの能力が２００万画素及び３００万画素を超えるような、近年のデジタルカメラでは撮影された画像データのデータサイズが１Ｍバイトを超えることは珍しくない。
【００１８】
この画像データを複数個、例えば、デジタルカメラに格納されている画像データの全てを何らかの通信手段で送信する場合に、その通信手段及び転送に要する時間を考慮しなければならない。また、転送先である画像データ処理装置においては記憶領域の大きさをおおいに考慮しなければならない。
【００１９】
デジタルカメラに接続される画像データ処理装置として、印刷機能付のＰＤＡ（ｐｅｒｓｏｎａｌ　ｄｉｇｉｔａｌ　ａｓｓｉｓｔａｎｔｓ：個人向け携帯情報機器の総称）、通信手段としてＢｌｕｅｔｏｏｔｈの構成で、デジタルカメラに１Ｍバイトの画像データが１０枚格納されていれば、全ての画像データを転送するのに最短で１分３０秒以上を必要とする。また、印刷機能つきのＰＤＡには１０Ｍバイト以上の画像データを格納するための記憶領域が必要となる。
【００２０】
特開平１０−１０７９８１号及び特開平１０−１０８００６号においては、デジタルカメラに接続された印刷装置にサムネイル画像のみを送信して一覧印刷を行うという発明で、デジタルカメラと画像データを受信する装置との間でのデータの共有及び関連付けに関しては想定されていない。
【００２１】
特開平１１−４６３３１号では、デジタルカメラ本体においてサムネイル画像の表示、画像の選択、選択された主画像を外部装置に転送するという発明で、デジタルカメラと画像データを受信する装置との間でのデータの共有及び関連付けに関しては想定されていない。
【００２２】
特開平１１−９６１９４号では、サムネイル画像が無ければサムネイル画像を作成し、サムネイル画像に選択のためのキーワードを設定し表示するという、機器内でのサムネイル画像の取り扱いに関する発明である。
【００２３】
特開平１１−１４６２２４号は、分割された領域に該当する画像のサムネイル画像を転送するというレイアウトに関するサムネイル画像の取り扱いの発明である。
【００２４】
特開平１１−１９１１１４号においては、ダウンロードした画像をサムネイル表示するという発明である。
特開平１１−２０３３６０号の発明は、ラボにおける画像データの管理手段で、センタサーバにサムネイル画像を格納し、ラボサーバに主画像を格納して管理し、期限切れでは双方の画像を削除する。デジタルカメラとそれに接続される機器とでのデータ管理ではない。
【００２５】
特開平１１−２３２１８６号では、画像データを送信する場合には、予め決められたデータ変換方式でデータ量を縮小して送信するという発明で、通信にはサムネイル画像のみを用いることになる。
【００２６】
特開平１１−３３１５３１号では、画像データ送信において、少なくともひとつの付加情報にサムネイル画像を含めるという発明であり、特に、サムネイル画像の送信と主画像の送信とに差異を示すものではない。
【００２７】
特開平１１−３５５７０６号においては、デジタルカメラからコンピュータに画像データを送信する送信手順を示し、先ず、サムネイル画像を送信し、次に主画像データを送信するという送信効率を考慮した発明である。
【００２８】
特開２０００−２８７１１０は、ＪＰＥＧファイルからサムネイルのＨＴＭＬを自動的に生成するという、サムネイル画像生成に関する発明である。
【００２９】
以上に示すように、従来の発明においては、デジタルカメラとそれに接続される機器とで相互にデータの関連付けを行い、さらに、サイズの小さなサムネイル画像とサイズの大きな主画像データとの取り扱いに関して、所定の関連付けを行って通信の効率化を図るようにする思想は開示されていなかった。
【００３０】
本発明は前述の問題点にかんがみてなされたもので、ＤＣＦ規格対応のデジタルカメラと画像データ処理装置との間で行う通信の高速化を実現できるようにするとともに、画像データを格納するために必要な記憶領域の縮小化を実現できるようにすることを目的とする。
【００３１】
【課題を解決するための手段】
本発明のデジタルカメラは、通信回線を介して画像データ処理装置と接続して画像データ処理システムを構成可能なデジタルカメラであって、サムネイル画像を含む主画像ファイルを格納するための画像ファイル記憶手段と、前記画像ファイル記憶手段に格納されている主画像ファイル中のサムネイル画像を前記通信回線を介して転送するサムネイル画像転送手段と、前記通信回線を介して接続された画像データ処理装置からの転送要求に応じて主画像を転送する主画像転送手段とを有することを特徴としている。
また、本発明の他の特徴とするところは、前記主画像転送手段は、転送する主画像の画素数を指定する転送要求が前記画像データ処理装置からあった場合には、前記画像ファイル記憶手段に格納されている主画像ファイルを指定された画素数に変換し、そのファイル内にサムネイル画像を含む画素数変換主画像ファイルを送信することを特徴としている。
【００３２】
本発明の画像データ処理装置は、通信回線を介してデジタルカメラと接続して画像データ処理システムを構成可能な画像データ処理装置であって、前記通信回線を介して接続されたデジタルカメラから転送された１つ以上のサムネイル画像を、前記デジタルカメラに格納されている主画像に対して１対１に対応可能に管理するサムネイル画像管理手段と、前記サムネイル画像管理手段により管理されているサムネイル画像に対応する主画像の転送を前記デジタルカメラに要求する主画像転送要求手段とを有することを特徴としている。
また、本発明の他の特徴とするところは、前記サムネイル画像管理に格納されているサムネイル画像を表示装置に表示する表示手段と、前記表示装置に表示された１つ以上のサムネイル画像から所望の画像を選択する選択手段とを有し、前記主画像転送要求手段は、前記選択手段によって選択されたサムネイル画像を有する主画像の転送を前記デジタルカメラに要求することを特徴としている。
また、本発明のその他の特徴とするところは、前記デジタルカメラから転送された画像を印刷する印刷手段を有し、前記印刷手段を用いて前記デジタルカメラから転送された主画像を印刷することを特徴としている。
また、本発明のその他の特徴とするところは、前記主画像転送要求手段は、前記印刷手段に合致する画素数を指定して主画像の転送を前記デジタルカメラに要求することを特徴としている。
また、本発明のその他の特徴とするところは、前記デジタルカメラから受信した画像ファイルをインターネットサーバーに格納する画像ファイル格納手段を有することを特徴としている。
また、本発明のその他の特徴とするところは、前記画像ファイル格納手段は、前記デジタルカメラから受信したサムネイル画像を格納する場合に、前記デジタルカメラの画像ファイル記憶手段に格納されている主画像と同じディレクトリ構造と同じファイル名で前記画像記憶媒体に格納し、前記画像記憶媒体に格納したファイルがサムネイル画像であることを示すためにファイルの拡張子を変更することを特徴としている。
また、本発明のその他の特徴とするところは、前記画像ファイル格納手段は、前記デジタルカメラから受信したサムネイル画像を格納する場合に、前記デジタルカメラの画像ファイル記憶手段に格納されている主画像の規格であるＤＣＦ（Ｄｅｓｉｇｎ　ｒｕｌｅ　ｆｏｒ　Ｃａｍｅｒａ　Ｆｉｌｅ　ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴としている。
また、本発明のその他の特徴とするところは、前記画像ファイル格納手段は、前記デジタルカメラから主画像を受信した場合に、前記主画像に該当するサムネイル画像を削除し、前記ファイル内にサムネイル画像を有する主画像を格納することを特徴としている。
また、本発明のその他の特徴とするところは、前記画像ファイル格納手段は、前記デジタルカメラから主画像を受信した場合に、前記印刷処理を含む特定の処理にのみ前記主画像を使用し、既に受信している該当するサムネイル画像を削除せずに保持することを特徴としている。
また、本発明のその他の特徴とするところは、前記画像ファイル格納手段は、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴としている。
また、本発明のその他の特徴とするところは、前記通信回線を介して行う通信手段として、シリアル通信またはＵＳＢ通信を含む有線通信を用いることを特徴としている。
また、本発明のその他の特徴とするところは、前記通信回線を介して行う通信手段として、Ｂｌｕｅｔｏｏｔｈ通信またはモデム通信を含む無線通信を用いることを特徴としている。
また、本発明のその他の特徴とするところは、前記デジタルカメラから受信して画像記憶媒体に格納した画像ファイル内にサムネイル画像を有する主画像に有効期限を設ける期限設定手段を有し、前記期限設定手段によって設定された有効期限が切れた場合に、前記主画像内のサムネイル画像を該当画像ファイルとして残し、前記有効期限が切れた主画像自体は削除するようにしたことを特徴としている。
【００３３】
本発明の画像データ処理システムは、前記に記載のデジタルカメラと、前記の何れかに記載の画像データ処理装置とを有することを特徴としている。
【００３４】
本発明の画像データ処理方法は、通信回線を介してデジタルカメラと接続して画像データ処理システムを構成する画像データ処理装置を用いた画像データ処理方法であって、前記通信回線を介して接続されたデジタルカメラから転送された１つ以上のサムネイル画像を、前記デジタルカメラに格納されている主画像に対して１対１に対応可能に管理するサムネイル画像管理工程と、前記サムネイル画像管理工程により管理されているサムネイル画像に対応する主画像の転送を前記デジタルカメラに要求する主画像転送要求工程とを有することを特徴としている。
また、本発明の他の特徴とするところは、前記サムネイル画像管理に格納されているサムネイル画像を表示装置に表示する表示工程と、前記表示装置に表示された１つ以上のサムネイル画像から所望の画像を選択する選択工程とを有し、前記主画像転送要求工程においては、前記選択工程によって選択されたサムネイル画像を有する主画像の転送を前記デジタルカメラに要求することを特徴としている。
また、本発明のその他の特徴とするところは、前記デジタルカメラから転送された画像を印刷装置により印刷する印刷工程を有し、前記デジタルカメラから転送された主画像を印刷することを特徴としている。
また、本発明のその他の特徴とするところは、前記主画像転送要求工程においては、前記印刷装置に合致する画素数を指定して主画像の転送を前記デジタルカメラに要求することを特徴としている。
また、本発明のその他の特徴とするところは、前記デジタルカメラから受信した画像ファイルをインターネットサーバーに格納する画像ファイル格納工程を有することを特徴としている。
また、本発明のその他の特徴とするところは、前記画像ファイル格納工程においては、前記デジタルカメラから受信したサムネイル画像を格納する場合に、前記デジタルカメラの画像ファイル記憶媒体に格納されている主画像と同じディレクトリ構造と同じファイル名で前記画像記憶媒体に格納し、前記画像記憶媒体に格納したファイルがサムネイル画像であることを示すためにファイルの拡張子を変更することを特徴としている。
また、本発明のその他の特徴とするところは、前記画像ファイル格納工程においては、前記デジタルカメラから受信したサムネイル画像を格納する場合に、前記デジタルカメラの画像ファイル記憶媒体に格納されている主画像の規格であるＤＣＦ（Ｄｅｓｉｇｎ　ｒｕｌｅ　ｆｏｒ　Ｃａｍｅｒａ　Ｆｉｌｅ　ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴としている。
また、本発明のその他の特徴とするところは、前記画像ファイル格納工程においては、前記デジタルカメラから主画像を受信した場合に、前記主画像に該当するサムネイル画像を削除し、前記ファイル内にサムネイル画像を有する主画像を格納することを特徴としている。
また、本発明のその他の特徴とするところは、前記画像ファイル格納工程においては、前記デジタルカメラから主画像を受信した場合に、前記印刷処理を含む特定の処理にのみ前記主画像を使用し、既に受信している該当するサムネイル画像を削除せずに保持することを特徴としている。
また、本発明のその他の特徴とするところは、前記画像ファイル格納工程においては、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴としている。
また、本発明のその他の特徴とするところは、前記デジタルカメラから受信して画像記憶媒体に格納した画像ファイル内にサムネイル画像を有する主画像に有効期限を設ける期限設定工程を有し、前記期限設定工程によって設定された有効期限が切れた場合に、前記主画像内のサムネイル画像を該当画像ファイルとして残し、前記有効期限が切れた主画像自体は削除するようにしたことを特徴としている。
【００３５】
本発明の記憶媒体は、前記に記載の各手段としてコンピュータを機能させるためのプログラムを記録したことを特徴としている。
また、本発明の記憶媒体の他の特徴とするところは、前記に記載の画像データ処理方法をコンピュータに実行させるためのプログラムを記録したことを特徴としている。
【００３６】
また、本発明のコンピュータプログラムは、前記に記載の画像データ処理方法をコンピュータに実行させることを特徴としている。
【００３７】
【発明の実施の形態】
次に、添付図面を参照しながら本発明のデジタルカメラ、画像データ処理装置、画像データ処理方法、画像データ処理システム、コンピュータ読み取り可能な記憶媒体及びコンピュータプログラムの実施の形態について説明する。
【００３８】
図１は、本発明の画像データ処理装置としての印刷装置付ＰＤＡの一実施の形態を説明するブロック図である。
図１において、１００は画像データ処理装置の画像データ転送装置であるデジタルカメラと画像データの通信処理及び画像選択処理及び印刷処理を行うマイクロコンピュータ（ＣＰＵ）である。
【００３９】
１０１はＣＰＵ１００によって実行される画像データ処理装置の画像データ転送装置であるデジタルカメラと画像データの通信処理及び画像選択処理及び印刷処理プログラム及びその他のデータを格納するＲＯＭである。
【００４０】
１０２は画像データ処理装置の画像データ転送装置であるデジタルカメラと画像データの通信処理及び画像選択処理及び印刷処理プログラムを実行する際の作業領域、及びインターフェース部１０６で受信された画像データを格納する領域として使用されるＲＡＭである。
【００４１】
このＲＡＭ１０２内の画像データ格納領域は、電池でバックアップされているＳＲＡＭでもいいし、フラッシュＲＯＭでもいいし、ハードディスクでもいいし、コンパクトフラッシュ（Ｒ）等の外部記憶媒体でもいい。
【００４２】
１０３はデジタルカメラとの通信開始やデジタルカメラから受信し表示器１０４に表示された画像データから印刷実行を指示する少なくともひとつ以上のキーを備えたユーザー操作可能な操作部である。
【００４３】
１０４はインターフェース１０６を介して接続されたデジタルカメラから受信した画像データを表示したり、ユーザーの操作を促すメッセージを表示したりする表示器である。表示器１０４上にタッチパネルを設け、ペン入力による操作部１０３を実現してもよい。
【００４４】
１０５はＣＰＵ１００、ＲＯＭ１０１、ＲＡＭ１０２、操作部１０３、表示器１０４、インターフェース部１０６、及びプリンタ１０７を接続するＣＰＵバスであり、アドレス信号を転送するアドレスバス、制御信号を転送するコントロールバス及び各種データを転送するデータバスの総称である。
【００４５】
１０６は画像データ転送処理装置であるデジタルカメラと接続して画像データの通信をおこなうインターフェース部（Ｉ／Ｆ）である。
１０７は印刷情報を印刷するためのプリンタであり、用紙を含む用紙カートリッジ１０８を挿入することにより用紙供給を受け印刷を行う。また、用紙カートリッジ１０８に含まれるＥＥＰＲＯＭ１０９に記載されている情報の読み込みも行う。
【００４６】
図２及び図３は、本実施の形態の画像データ処理装置としての印刷装置付ＰＤＡの一実施の形態を説明する概観図である。
図２は、印刷装置付ＰＤＡを正面左上から眺めた概観図であり、図３は印刷装置付ＰＤＡを正面左下から眺めた概観図である。
【００４７】
図２において、２００は印刷装置付ＰＤＡを示す。
２０１は図１のインターフェース部１０６において、Ｂｌｕｅｔｏｏｔｈによる通信を行う場合のＲＦアンテナ部である。
【００４８】
２０２は、図１の表示器１０４であり、デジタルカメラから受信した画像データを表示したり、ユーザーの操作を促すメッセージを表示したりする。表示器２０２上にはタッチパネルが設けられており、ペン入力による操作部１０３を実現してもいる。
【００４９】
２０３は、図１の操作部１０３を構成するキー群であり、２０２に表示された画像データを選択するための十字キーや決定やキャンセルといった機能キーから構成されている。２０４は、図１のプリンタ部１０７において印刷された用紙２０５を排出するための排出口である。２０６は図１のプリンタ部１０７において用紙カートリッジ１０８を挿入する挿入口である。
【００５０】
図４は、画像データ処理装置に通信手段で接続可能な画像データ転送処理装置としてのデジタルカメラを示す。
図４において、３００はデジタルカメラであり、３０１は画像データ処理装置の図１にあるインターフェース部１０６とＢｌｕｅｔｏｏｔｈ通信によって画像データの転送を行うためのＲＦアンテナ部である。
【００５１】
図５〜図８に、本実施の形態の画像データ処理装置と通信手段により画像データ処理装置に接続される画像データ転送処理装置における画像データの格納及び管理態様を説明する構造図を示す。
【００５２】
図５では、画像データ転送処理装置であるデジタルカメラ３００がＤＣＦ規格に準拠している場合のデジタルカメラで撮影された画像データがコンパクトフラッシュ（Ｒ）等の記憶媒体にどのように格納されているかを示す。
【００５３】
図５で、４００はルートディレクトリを示す。４０１はルートディレクトリ直下におかれる「ＤＣＩＭ」という固定の名前を持つディレクトリで、デジタルカメラ３００で撮影された画像データは全てこの「ＤＣＩＭ」ディレクトリ４０１の下に格納される。
【００５４】
４０２と４０３は撮影された画像データをいくつかの集まり、例えば撮影デジタルカメラ機種別、で管理するためのディレクトリであり、最初の３桁の数字がディレクトリ番号と呼ばれ１００〜９９９までの値をとり、以下の５文字（「ＡＢＣＤＥ」）は任意の英数字を用いても構わない。ＤＣＦ規格によれば、「ＤＣＩＭ」ディレクトリの下では、ディレクトリ番号の重複するディレクトリを作成してはいけないことになっている。
【００５５】
４０４〜４０８は、デジタルカメラ３００で撮影された画像データがディレクトリ「１００ＡＢＣＤＥ」４０２の下に５枚格納されていることを示す。４０９は、デジタルカメラ３００で撮影された画像データがディレクトリ「１０１ＡＢＣＤＥ」４０３の下に１枚格納されていることを示す。
【００５６】
ファイル名の頭４文字は任意の文字列（「ＰＨＯＴ」）で構わないが、この文字列に続く４桁の数字は写真番号と呼ばれ、０００１〜９９９９までの値をとり、１つのディレクトリの下で重複してはいけないことになっている。
【００５７】
図６は、ＤＣＦ規格に準拠しているデジタルカメラ３００で撮影された画像データのＪＰＥＧファイル（「ＰＨＯＴＯ０００１．ＪＰＧ」）の一形式を示す。図６において、５００〜５０５までと５０７はマーカーセグメントと呼ばれ決められた情報が格納されている。
【００５８】
５００は、圧縮データの先頭を示すＳＯＩ（Ｓｔａｒｔ　Ｏｆ　Ｉｍａｇｅ）マーカーセグメント、５０１はＥｘｉｆ（Ｅｘｃｈａｎｇｅａｂｌｅ　Ｉｍａｇｅ　ｆｉｌｅ　Ｆｏｒｍａｔ　ｆｏｒ　ｄｉｇｉｔａｌ　ｓｔｉｌｌｃａｍｅｒａ）で規定されているＡＰＰ１（Ａｐｐｌｉｃａｔｉｏｎ　Ｓｅｇｍｅｎｔ　１）マーカーセグメントで、５０９〜５１５で示すサムネイル画像データが格納されている。
【００５９】
５０２は、量子化テーブルを示すＤＱＴ（Ｄｅｆｉｎｅ　ＱＵＡＮＴＩＺＡＴＩＯＮ　Ｔａｂｌｅ）マーカーセグメント、５０３はハフマンテーブルを示すＤＨＴ（Ｄｅｆｉｎｅ　Ｈｕｆｆｍａｎ　Ｔａｂｌｅ）マーカーセグメント、５０４は圧縮データ５０６のフレームに関する各種パラメタが格納されているＳＯＦ（Ｓｔａｒｔ　Ｏｆ　Ｆｒａｍｅ）マーカーセグメント、５０５は圧縮データの５０６のコンポーネントに関する各種パラメタが格納されているＳＯＳ（Ｓｔａｒｔ　Ｏｆ　Ｓｃａｎ）マーカーセグメントである。
【００６０】
ＳＯＳマーカーセグメント５０５に続いて圧縮データ５０６が始まり、５０９の圧縮データの終了を示すＥＯＩ（Ｅｎｄ　Ｏｆ　Ｉｍａｇｅ）マーカーセグメントの前まで格納される。
【００６１】
５０１のＡＰＰ１マーカーセグメントの特定位置には、５０８のＥｘｉｆ規格で規定された各種情報に続いて、ＪＰＥＧファイルと同じ構造を持つサムネイル画像データが格納されている。
【００６２】
５０９はサムネイル画像の圧縮データの先頭を示すＳＯＩマーカーセグメント、５１０はサムネイル画像の量子化テーブルを示すＤＱＴマーカーセグメント、５１１はサムネイル画像のハフマンテーブルを示すＤＨＴマーカーセグメント、５１２はサムネイル画像の圧縮データ５１４のフレームに関する各種パラメタが格納されているＳＯＦマーカーセグメントである。
【００６３】
５１３は、サムネイル画像の圧縮データ５１４のコンポーネントに関する各種パラメタが格納されているＳＯＳマーカーセグメントである。ＳＯＳマーカーセグメント５１３に続いてサムネイル画像の圧縮データ５１４が始まり、５１５のサムネイル画像の圧縮データ終了を示すＥＯＩマーカーセグメントの前まで格納される。
【００６４】
ＪＰＥＧファイルにおけるマーカーセグメントの大きさの規定によりサムネイル画像のデータサイズは６４Ｋバイトを超えることはない。したがって、ＤＣＦ規格に対応したデジタルカメラは、通信手段によって接続された画像データ処理装置からの画像データ転送要求により、サムネイル画像の転送要求であれば主画像内に格納されているサムネイル画像情報、図６の５０９〜５１５、を転送し、主画像の転送要求であればそのファイル内にサムネイル画像を含む主画像ファイル、図６の５００〜５０７を転送する。
【００６５】
そして、画素数指定の主画像の転送要求であれば指定された画素数に変換後にそのファイル内にサムネイル画像を含む画素数変換主画像、すなわち、５０２〜５０６の情報を指定された画素数に変換後の主画像ファイル情報５００〜５０７を転送する。
【００６６】
図７では、画像データ処理装置がＤＣＦ規格に準拠しているデジタルカメラ３００にサムネイル画像の転送を要求し、サムネイル画像データを受信した後に、前記受信したサムネイル画像を図１のＲＡＭ１０２の一部を構成する画像データ格納領域にどのように格納されているかを示している。
【００６７】
図７で、６００はルートディレクトリを示す。６０１はルートディレクトリ直下におかれる「ＤＣＩＭ」という固定の名前を持つディレクトリで、デジタルカメラ３００から転送されたサムネイル画像データはこの「ＤＣＩＭ」ディレクトリ１０２の下に全て格納される。
【００６８】
６０２と６０３はデジタルカメラ３００から転送されたサムネイル画像データをいくつかの集まりで管理するためのディレクトリであり、図５で示した転送元のデジタルカメラ３００のディレクトリ４０２及び４０３と同一である。
【００６９】
６０４〜６０８はデジタルカメラ３００から転送されたサムネイル画像データがディレクトリ「１００ＡＢＣＤＥ」６０２の下に５枚格納されていることを示し、６０９はデジタルカメラ３００から転送されたサムネイル画像データがディレクトリ「１０１ＡＢＣＤＥ」６０３の下に１枚格納されていることを示し、図５で示した転送元のデジタルカメラ３００の主画像ファイル４０４〜４０９と１対１の関係を構成している。
【００７０】
ただし、転送元のデジタルカメラ３００に格納されている主画像ファイルと異なることを認識するためにファイルの拡張子を主画像のＪＰＥＧファイルを示す「．ＪＰＧ」からサムネイル画像を示す「．ＴＵＭ」に変更するようにしている。
【００７１】
図８では、画像データ処理装置がＤＣＦ規格に準拠しているデジタルカメラ３００にサムネイル画像の転送を要求し、サムネイル画像データを受信した後で、前記受信したサムネイル画像を図１のＲＡＭ１０２の一部を構成する画像データ格納領域にどのように格納されているかの異なる実施の形態を示す。
【００７２】
図８で、７００〜７０５は、図５で示した転送元のデジタルカメラ３００の主画像ファイル４０４〜４０９と１対１の関係を構成する。ただし、転送元のデジタルカメラ３００に格納されている主画像ファイルのディレクトリ番号（「１００ＡＢＣＤＥ」４０２の「１００」）と、ファイル番号（「ＰＨＯＴ０００１」４０４の「０００１」）との組み合わせをファイル名とし、複雑なディレクトリ管理をすることなく転送されたサムネイル画像データを管理する。
【００７３】
さらに、転送された画像がサムネイル画像データであることを示すためにファイルの拡張子を主画像のＪＰＥＧファイルを示す「．ＪＰＧ」からサムネイル画像を示す「．ＴＵＭ」にしてある。
【００７４】
図９及び図１０は、本実施の形態を実現するプログラムの処理手順を説明するフローチャートである。
図９においては、画像データ処理装置２００が通信手段にてデジタルカメラ３００との接続される。通信手段をＢｌｕｅｔｏｏｔｈによる無線通信とすると、画像データ処理装置のＲＦアンテナ２０１とデジタルカメラ３００のＲＦアンテナ３０１にて２．４ＧＨｚによる無線通信状態が確立している。
【００７５】
処理が開始されると、最初のステップＳ１０では、デジタルカメラ３００によって撮影され、コンパクトフラッシュ（Ｒ）等の記憶媒体に格納されている画像データがあるかどうかを問い合わせる。この問い合わせの結果、画像データがあればステップＳ２０に進み、なければステップＳ１６０でデジタルカメラ３００に転送すべき画像データがないことを表示器２０２に示し、ステップＳ１７０でデジタルカメラ３００との接続を切断して処理を終了する。
【００７６】
一方、ステップＳ２０では、画像データのサムネイル画像の転送要求を行う。例えば、デジタルカメラ３００で格納されている画像データが図５で示されるように格納されているのであればディレクトリ「１００ＡＢＣＤＥ」４０２の画像ファイル「ＰＨＯＴ０００１．ＪＰＧ」４０４内に格納されているサムネイル画像データの転送要求を行う。
【００７７】
次に、ステップＳ３０では、デジタルカメラ３００から転送されるサムネイル画像データ、図６の５０９〜５１５の情報、を受信し、図１のＲＡＭ１０２の一部を構成する画像データ格納領域に格納する。その際、図７に示すように、デジタルカメラ３００に格納されているディレクトリ構成とファイル名と同じ情報を用い拡張子のみを変更する。
【００７８】
例えば、ディレクトリ「１００ＡＢＣＤＥ」６０２に画像ファイル「ＰＨＯＴ０００１．ＴＵＭ」６０４を格納する。または、図８に示すようにディレクトリ番号とファイル番号をファイル名とし拡張子を変更して管理する。例えば、ディレクトリ「１００ＡＢＣＤＥ」４０２の画像ファイル「ＰＨＯＴ０００１．ＪＰＧ」４０４のサムネイル画像は、ファイル名が「１００−０００１．ＴＵＭ」で格納される。
【００７９】
次に、ステップＳ４０においては、デジタルカメラ３００に格納されている全ての画像データのサムネイル画像転送が終了したかどうかを判定する。この判定の結果、次の画像データの転送が必要な場合はステップＳ２０に戻り、終了した場合はステップＳ５０に進む。
【００８０】
全ての画像データのサムネイル画像の転送が終了した場合は、デジタルカメラ３００に格納されている画像データの情報が図５に示す構成であれば、画像データ処理装置のＲＡＭ１０２の画像データ格納領域に格納されているサムネイル画像の情報は図７に示す構成、または図８に示す構成となっている。
【００８１】
ステップＳ５０では、受信したサムネイル画像を表示器１０４に表示し、操作部１０３にてユーザーが選択する画像選択処理を行う。例えば、プリンタ１０７にて印刷するための画像を選択する処理を行う。
【００８２】
次に、ステップＳ７０では、選択された画像に対する処理が印刷であるかどうか判定し、印刷だった場合はステップＳ８０に進み、そうでない場合はステップＳ９０に進む。
【００８３】
ステップＳ８０では、デジタルカメラ３００に要求する主画像を印刷に適した画素数に変換した主画像であるか、それとも、デジタルカメラ３００に格納されている主画像そのものであるかの判定をする。この判定は、ＲＯＭ１０１に予め格納されている情報に基づいてもよいし、ユーザーによる初期設定に基づいていてもよい。
【００８４】
ステップＳ９０では、デジタルカメラ３００に格納されている主画像の転送要求を行い、ステップＳ１００では印刷に適した画素数に変換後の主画像の転送要求を行う。
【００８５】
次に、ステップＳ１１０では、ステップＳ９０及びステップＳ１００で要求した主画像が既にＲＡＭ１０２の画像データ格納領域に格納されているかどうかを判定し、既に格納されている場合はステップＳ１２５で主画像転送要求をキャンセルし、格納されていない場合はステップＳ１２０で主画像の受信を行う。
【００８６】
次に、ステップＳ１３０では、受信した主画像または既に受信してＲＡＭ１０２の画像データ格納領域に格納されている主画像を用い、プリンタ１０７による印刷処理を行う。なお、印刷以外の処理に主画像を用いても構わない。
【００８７】
次に、ステップＳ１４０においては、受信した主画像を既に受信しているサムネイル画像と置き換えるかどうかを判定する。この判定は、ＲＯＭ１０１に予め格納されている情報に基づいてもよいし、ユーザーによる初期設定に基づいていてもよいし、ユーザーに問い合わせる形式でもよい。また、ステップＳ１４０の判定には、ステップＳ１１０の判定も含み、既に前記主画像が受信されている場合は、置き換えない判定とする。
【００８８】
画像データ処理装置に充分なデータ格納領域が確保されている場合は、サムネイル画像を主画像で置き換えれば、次の、同じ画像データに対する主画像転送を繰り返す必要がない。例えば、画像データ処理装置に充分なデータ格納領域がない場合は、受信した主画像を、例えば印刷といった、特別な処理にのみ使用し、サムネイル画像を主画像で置き換えない方が有効である。画像データの置き換えがない場合はステップＳ５０に進み、次の画像選択処理となる。
【００８９】
一方、ステップＳ１４０の判定の結果、画像データを置き換える場合は、ステップＳ１５０において、サムネイル画像を受信した主画像に置き換える処理を行う。受信した主画像が図５に示す「ＰＨＯＴ０００２．ＪＰＧ」４０５であった場合は、図７に示す「ＰＨＯＴＯ０００２．ＴＵＭ」６０５を消去し、「ＰＨＯＴＯ０００２．ＪＰＧ」をＲＡＭ１０２の画像データ格納領域に格納する。
【００９０】
ここで、受信した画像が画素数指定の主画像であった場合は、デジタルカメラ３００に格納されている主画像とは異なることを識別するために拡張子を変更して、例えば、「ＰＨＯＴ０００２．ＰＲＮ」として格納してもよい。この場合は、次にデジタルカメラ３００から主画像が転送された場合は、その主画像「ＰＨＯＴ０００２．ＪＰＧ」と将来置き換えられる場合もある。
【００９１】
図１０においては、画像データ処理装置において、ＲＡＭ１０２の画像データ格納領域に図９のフローチャートに従って主画像が格納されている場合、その主画像に予め決められた有効期限を設け、有効期限が切れた場合の処理を説明する。
【００９２】
最初のステップＳ２１０では、主画像の検索を行う。次に、ステップＳ２２０で主画像の検索が終了したか否かを判定する。この判定の結果、終了したと判定した場合は処理を終了し、終了していないと判定した場合にはステップＳ２３０に進む。
【００９３】
ステップＳ２３０では、検索された主画像の有効期限が切れているかどうかの判定を行い、有効期限が切れていない場合は、ステップＳ２１０にて次の主画像の検索を行い、有効期限が切れていた場合にはステップＳ２４０に進む。
【００９４】
ステップＳ２４０においては、検索された図６に示す主画像データからサムネイル画像データ５０９〜５１５を抽出し、主画像を削除後、抽出したサムネイル画像を主画像に変わる画像データとして格納する。主画像とサムネイル画像を区別するために拡張子の変更を行う。
【００９５】
なお、画像データ処理装置において、ＲＡＭ１０２に確保される画像データ格納領域をインターネットサーバーに設けるような構成にしてもよい。
【００９６】
通信手段としては、Ｂｌｕｅｔｏｏｔｈによる無線通信のほかに、デジタルカメラ３００とモデム機能として接続された携帯電話を画像データ転送処理装置として、電話回線による接続可能な携帯電話、ＰＤＡ、またはインターネットサーバーを画像データ処理装置としてもよい。
【００９７】
さらに、画像データ処理装置と画像データ転送処理装置との接続をＵＳＢケーブル及びシリアルケーブルを用いた有線接続を用いてもよい。ＵＳＢケーブルによる接続の場合、デジタルカメラ３００がデバイス機能としてカードリーダーの機能しか有しない場合もある。
【００９８】
その時、「接続した画像データ処理装置において画像データ処理装置からの画像データ転送要求により、サムネイル画像の転送要求であれば主画像内に格納されているサムネイル画像を転送し、主画像の転送要求であればそのファイル内にサムネイル画像を含む主画像ファイルを転送し、画素数指定の主画像の転送要求であれば指定された画素数に変換後そのファイル内にサムネイル画像を含む画素数変換主画像を転送する。」というデジタルカメラ３００の処理を、画像データ処理装置で代替してもよい。
【００９９】
これらの実施例をプログラムで供給することにより、画像データ処理装置において接続された画像データ転送処理装置であるデジタルカメラ３００に格納された画像データの転送及び管理を、サムネイル画像を用いることにより、転送時間を節約でき、かつ、画像データ処理装置内の格納領域を効率よく管理することが可能となる。
【０１００】
（本発明の他の実施の形態）
本発明は複数の機器から構成されるシステムに適用しても１つの機器からなる装置に適用しても良い。
【０１０１】
また、前述した実施の形態の機能を実現するように各種のデバイスを動作させるように、前記各種デバイスと接続された装置あるいはシステム内のコンピュータに対し、記憶媒体から、またはインターネット等の伝送媒体を介して前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【０１０２】
また、この場合、前記ソフトウェアのプログラムコード自体が前述した実施の形態の機能を実現することになり、そのプログラムコード自体、及びそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１０３】
また、コンピュータが供給されたプログラムコードを実行することにより、前述の実施の形態で説明した機能が実現されるだけでなく、そのプログラムコードがコンピュータにおいて稼働しているＯＳ（オペレーティングシステム）あるいは他のアプリケーションソフト等の共同して前述の実施の形態で示した機能が実現される場合にもかかるプログラムコードは本発明の実施の形態に含まれることは言うまでもない。
【０１０４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【０１０５】
【発明の効果】
以上説明してきたように、本発明によれば、デジタルカメラから画像データ処理装置に画像を転送する際に、先ず、サムネイル画像の転送を行い、次いで、必要に応じて主画像データを転送するようにしたので、前記デジタルカメラに格納された撮影画像データを高速に転送することができるとともに、画像データ処理装置において画像データを効率よく管理することができる。
【図面の簡単な説明】
【図１】本発明の実施の形態を示し、画像データ処理装置の構成を示すブロック図である。
【図２】実施の形態の画像データ処理装置の概観図である。
【図３】実施の形態の画像データ処理装置の概観図である。
【図４】実施の形態の画像データ処理装置に接続されるデジタルカメラの概観図である。
【図５】実施の形態の画像データの格納及び管理を説明する図である。
【図６】実施の形態の画像データの格納及び管理を説明する図である。
【図７】実施の形態の画像データの格納及び管理を説明する図である。
【図８】実施の形態の画像データの格納及び管理を説明する構造図である。
【図９】実施の形態の画像データ処理装置における印刷処理手順を示すフローチャートである。
【図１０】実施の形態の画像データ処理装置における印刷処理手順を示すフローチャートである。
【符号の説明】
１００　ＣＰＵ
１０１　ＲＯＭ
１０２　ＲＡＭ
１０３　操作部
１０４　表示器
１０５　バス
１０６　インターフェース部
１０７　プリンタ
１０８　用紙カートリッジ
１０９　ＥＥＰＲＯＭ
【図１】
2004048183.tif 000003
【図２】
2004048183.tif 000004
【図３】
2004048183.tif 000005
【図４】
2004048183.tif 000006
【図５】
2004048183.tif 000007
【図６】
2004048183.tif 000008
【図７】
2004048183.tif 000009
【図８】
2004048183.tif 000010
【図９】
2004048183.tif 000011
【図１０】
2004048183.tif 000012